(57)【要約】【課題】通信システムにおいて、１つの移動通信端末装置の情報を用いて複数の移動通信端末装置で別々の通信プロトコルを使用して同時に通信を行うことを目的とする。【解決手段】第１通信部と情報管理部と第２通信部を有する第１の移動通信端末装置と、第３通信部と第４通信部と情報記憶部を有する第２の移動通信端末装置と、を備え、前記第１の移動通信端末装置の第１通信部で前記情報管理部の情報を用い前記第１のプロトコルを使用して前記第１の基地局との間で無線通信を行い、前記第２の移動通信端末装置の第３通信部で前記情報記憶部の情報を用い前記第２のプロトコルを使用して前記第２の基地局との間で無線通信を行う。【選択図】    図４
2013042430.tif 000002
【特許請求の範囲】
【請求項１】
第１のプロトコルを使用して第１の基地局と或いは第２のプロトコルを使用して第２の基地局と無線通信をそれぞれ行う第１通信部と、前記第１のプロトコル或いは第２のプロトコルを使用して無線通信を行うために用いられる情報を管理する情報管理部と、他の移動通信端末装置との間で前記第２のプロトコルを使用して無線通信を行うために用いられる情報を送信する第２通信部を有する第１の移動通信端末装置と、
第３通信部と、前記第１の移動通信端末装置との間で前記第２のプロトコルを使用して無線通信を行うために用いられる情報を受信する第４通信部と、前記第４通信部で受信した情報を記憶する情報記憶部を有する第２の移動通信端末装置と、を備え、
前記第１の移動通信端末装置の第１通信部で前記情報管理部の情報を用い前記第１のプロトコルを使用して前記第１の基地局との間で無線通信を行い、
前記第２の移動通信端末装置の第３通信部で前記情報記憶部の情報を用い前記第２のプロトコルを使用して前記第２の基地局との間で無線通信を行う
ことを特徴とする通信システム。
【請求項２】
請求項１記載の通信システムにおいて、
前記第１の移動通信端末装置は、前記第１通信部と前記第３通信部それぞれで使用するプロトコルの使用状態を保存する第１状態保存部を有し、
前記第２の移動通信端末装置は、前記第１通信部と前記第３通信部それぞれで使用するプロトコルの使用状態を保存する第２状態保存部を有し、
前記第１又は第２の移動通信端末装置は、前記第１状態保存部に保存された使用状態と前記第２状態保存部に保存された使用状態とが異なる場合に前記第１通信部と前記第３通信部を停止させる制御部を有する
ことを特徴とする通信システム。
【請求項３】
請求項２記載の通信システムにおいて、
前記第１又は第２のプロトコルを使用して無線通信を行うために用いられる情報は、前記情報管理部に保存された第１情報と、前記情報管理部で生成される第２情報を含み、
前記情報記憶部に記憶する前記情報は前記第１情報である
ことを特徴とする通信システム。
【請求項４】
請求項３記載の通信システムにおいて、
前記第２通信部は、前記第２の移動通信端末装置の前記第４通信部から送信された前記第２情報の要求を前記第２通信部で受信して前記情報管理部に供給し、
前記情報管理部は、前記第２情報の要求に応じた前記第２情報を生成して前記第２通信部から前記第４通信部に送信する
ことを特徴とする通信システム。
【請求項５】
請求項２乃至４のいずれか１項記載の通信システムにおいて、
前記第１状態保存部及び前記第２状態保存部に保存する前記第３通信部で使用するプロトコルの使用状態に使用期限を設け、
前記制御部は、前記使用期限が過ぎると、前記第１状態保存部及び前記第２状態保存部に保存する前記第３通信部で使用するプロトコルの使用状態を使用なしに変更する
ことを特徴とする通信システム。
【請求項６】
第１のプロトコルを使用して第１の基地局と或いは第２のプロトコルを使用して第２の基地局と無線通信をそれぞれ行う第１通信部と、前記第１のプロトコル或いは第２のプロトコルを使用して無線通信を行うために用いられる情報を管理する情報管理部と、他の移動通信端末装置との間で前記第２のプロトコルを使用して無線通信を行うために用いられる情報を送信する第２通信部を有する第１の移動通信端末装置と、
第３通信部と、前記第１の移動通信端末装置との間で前記第２のプロトコルを使用して無線通信を行うために用いられる情報を受信する第４通信部と、前記第４通信部で受信した情報を記憶する情報記憶部を有する第２の移動通信端末装置と、を備える通信システムの前記第１の移動通信端末装置であって、
前記第１通信部は、前記情報管理部の情報を用い前記第１のプロトコルを使用して前記第１の基地局との間で無線通信を行い、
前記第２通信部は、前記情報管理部の情報を前記第４通信部に送信する
ことを特徴とする第１の移動通信端末装置。
【請求項７】
請求項６記載の第１の移動通信端末装置において、
前記第１通信部と前記第３通信部それぞれで使用するプロトコルの使用状態を保存する第１状態保存部と、
前記第１状態保存部に保存された使用状態と、前記第２の移動通信端末装置の第２状態保存部に保存された前記第１通信部と前記第３通信部それぞれで使用するプロトコルの使用状態とが異なる場合に前記第１通信部と前記第３通信部を停止させる第１制御部を
有することを特徴とする第１の移動通信端末装置。
【請求項８】
第１のプロトコルを使用して第１の基地局と或いは第２のプロトコルを使用して第２の基地局と無線通信をそれぞれ行う第１通信部と、前記第１のプロトコル或いは第２のプロトコルを使用して無線通信を行うために用いられる情報を管理する情報管理部と、他の移動通信端末装置との間で前記第２のプロトコルを使用して無線通信を行うために用いられる情報を送信する第２通信部を有する第１の移動通信端末装置と、
第３通信部と、前記第１の移動通信端末装置との間で前記第２のプロトコルを使用して無線通信を行うために用いられる情報を受信する第４通信部と、前記第４通信部で受信した情報を記憶する情報記憶部を有する第２の移動通信端末装置と、を備える通信システムの前記第２の移動通信端末装置であって、
前記第２通信部から送信され前記第４通信部で受信した前記情報管理部の情報を記憶する情報記憶部を有し、
前記第３通信部は、前記情報記憶部の情報を用い前記第２のプロトコルを使用して前記第２の基地局との間で無線通信を行う
ことを特徴とする第２の移動通信端末装置。
【請求項９】
請求項８記載の第２の移動通信端末装置において、
前記第１通信部と前記第３通信部それぞれで使用するプロトコルの使用状態を保存する第２状態保存部と、
前記第２状態保存部に保存された使用状態と、前記第１の移動通信端末装置の第１状態保存部に保存された前記第１通信部と前記第３通信部それぞれで使用するプロトコルの使用状態とが異なる場合に前記第１通信部と前記第３通信部を停止させる第２制御部を
有することを特徴とする第２の移動通信端末装置。
【発明の詳細な説明】
【技術分野】
【０００１】
本発明は、移動通信端末装置と基地局との通信システム及び移動通信端末装置に関する。
【背景技術】
【０００２】
近年の移動通信端末装置において、スマートフォンは、大画面の筺体のためやアプリケーションの階層が深いために、電話として使いにくくなっている。一方で、フィーチャーフォンは電話として使い易いがスマートフォンのように多数のアプリケーションを使用できない。
【０００３】
ユーザはこれら大画面の端末としてのスマートフォンと、使いやすい電話としてのフィーチャーフォンの２つの環境を使用する場合、スマートフォンとフィーチャーフォンの２台分の契約を行う。これにより、スマートフォンとフィーチャーフォンの２台の移動通信端末装置に対して２つのＵＩＭ（Ｕｓｅｒ  Ｉｄｅｎｔｉｔｙ  Ｍｏｄｕｌｅ）カードを準備する必要があった。なお、ＵＩＭカードとは、第３世代携帯電話で用いられる電話番号や加入者ＩＤといった個人情報が記録されたＩＣカードである。
【０００４】
ところで、情報の一部をＳＩＭカード（Ｓｕｂｓｃｒｉｂｅｒ  Ｉｄｅｎｔｉｔｙ  Ｍｏｄｕｌｅ  Ｃａｒｄ）から安全に複製し、モバイル機器によって事業者用機器に、そのＳＩＭカードに関連づけられた加入者識別情報ＩＭＳＩをクローン化するリクエストを送信する。そして、モバイル機器のＩＭＳＩと通信体のＩＭＥＩを事業者用機器によって認証し、ＩＭＳＩクローンを生成する。そして、ＳＩＭカードから通信体の記憶手段にデータを記録することを実行する技術が提案されている（例えば特許文献１参照）。
【０００５】
また、使用許可の基礎となる情報を記憶すると共に、使用許可の基礎となる情報を共用する端末装置の数を記憶する記憶部を備える。そして、共用する他の端末装置と通信を行い、すべての共用する他の端末装置と通信可能である全共用端末存在状態になっているか否かを判別して、自端末装置を使用開始可能状態に設定する。自端末装置がユーザの操作入力に基づいて実際に使用開始されたときに、共用する他の端末装置に使用開始通知を送り、使用開始通知を受信したときに使用許可の基礎となる情報を見かけ上消去し、自端末装置を使用許可の基礎となる情報に基づく使用を不可とする状態に設定する技術が提案されている（例えば特許文献２参照）。
【０００６】
また、子機において、ＳＩＭカードの代替物でＳＩＭカードが設けられた親機と近距離無線通信を行い、ＳＩＭカードに記録されたＳＩＭ情報を記憶する。そして、携帯電話サービスを利用するための移動体端末と通信を行い、移動体端末からの要求に応じて、記憶されたＳＩＭ情報を移動体端末に出力する技術が提案されている（例えば特許文献３参照）。
【先行技術文献】
【特許文献】
【０００７】
【特許文献１】特開２００６−５０５５４号公報
【特許文献２】特開２００７−３０６１６９号公報
【特許文献３】特開２０１０−５０８４８号公報
【発明の概要】
【発明が解決しようとする課題】
【０００８】
スマートフォンとフィーチャーフォンがＵＩＭロックフリーでＵＩＭカードの差し替えが可能であれば、ＵＩＭカードをスマートフォンとフィーチャーフォンの間で差し替えて、１枚のＵＩＭカードにてスマートフォンとフィーチャーフォンを使用することができる。しかし、この場合には、ＵＩＭカードの差し替えという煩雑な作業が必要であり、時間もかかり、移動中は困難な作業になってしまう。更に、スマートフォンとフィーチャーフォンを同時に使用して通信を行うことはできないという問題があった。
【０００９】
また、特許文献１〜３に記載の技術では、ＵＩＭカードを持つ移動通信端末装置で使用可能な複数の通信プロトコルのうち、いずれか１つの通信プロトコルだけをＵＩＭカードを持たない移動通信端末装置に設定することはできなかった。更に、ＵＩＭカードを持つ移動通信端末装置で第１の通信プロトコルを使用し、ＵＩＭカードを持たない移動通信端末装置で第１の通信プロトコルとは別の第２の第１の通信プロトコルを使用し、２つの移動通信端末装置で同時に別々の通信を行うことはできないという問題があった。
【００１０】
開示の通信システムは、１つの移動通信端末装置の情報を用いて複数の移動通信端末装置で別々の通信プロトコルを使用して同時に通信を行うことを目的とする。
【課題を解決するための手段】
【００１１】
開示の一実施形態による通信システムは、第１のプロトコルを使用して第１の基地局と或いは第２のプロトコルを使用して第２の基地局と無線通信をそれぞれ行う第１通信部と、前記第１のプロトコル或いは第２のプロトコルを使用して無線通信を行うために用いられる情報を管理する情報管理部と、他の移動通信端末装置との間で前記第２のプロトコルを使用して無線通信を行うために用いられる情報を送信する第２通信部を有する第１の移動通信端末装置と、
第３通信部と、前記第１の移動通信端末装置との間で前記第２のプロトコルを使用して無線通信を行うために用いられる情報を受信する第４通信部と、前記第４通信部で受信した情報を記憶する情報記憶部を有する第２の移動通信端末装置と、を備え、
前記第１の移動通信端末装置の第１通信部で前記情報管理部の情報を用い前記第１のプロトコルを使用して前記第１の基地局との間で無線通信を行い、
前記第２の移動通信端末装置の第３通信部で前記情報記憶部の情報を用い前記第２のプロトコルを使用して前記第２の基地局との間で無線通信を行う。
【発明の効果】
【００１２】
本実施形態によれば、１つの移動通信端末装置の情報を用いて複数の移動通信端末装置で別々の通信プロトコルを使用して同時に通信を行うことができる。
【図面の簡単な説明】
【００１３】
【図１】メインの移動通信端末装置の一実施形態の構成図である。
【図２】サブの移動通信端末装置の一実施形態の構成図である。
【図３】第１状態のイメージ図である。
【図４】第２状態のイメージ図である。
【図５】移動通信端末装置の起動時の制御シーケンスを示す図である。
【図６】移動通信端末装置の起動時の制御シーケンスを示す図である。
【図７】移動通信端末装置の起動時の制御シーケンスを示す図である。
【図８】ＵＩＭ情報の貸出依頼を行う場合の制御シーケンスを示す図である。
【図９】サブの移動通信端末装置からＵＩＭカードを使用する場合の制御シーケンスである。
【発明を実施するための形態】
【００１４】
以下、図面に基づいて実施形態を説明する。
【００１５】
本実施形態ではメインとサブの２つの移動通信端末装置を用いる。例えばメインの移動通信端末装置はフィーチャーフォンであり、サブの移動通信端末装置はスマートフォンである。なお、利用頻度等を考慮してメインの移動通信端末装置がスマートフォンで、サブの移動通信端末装置がフィーチャーフォンであっても良い。
【００１６】
＜メインの移動通信端末装置の構成＞
図１はメインの移動通信端末装置の一実施形態の構成図を示す。図１において、メインの移動通信端末装置１０は、無線通信装置１１、ＵＩＭ装置１２、記憶装置１３、演算装置１４、表示装置１５、音声装置１６、入力装置１７、ＢＴ（ブルートゥース：登録商標）装置１８、赤外線通信装置１９を有している。これらの無線通信装置１１〜赤外線通信装置１９それぞれはバス２０により相互に接続されている。
【００１７】
無線通信装置１１は例えば音声通信用のＣＤＭＡ１ｘ（Ｃｏｄｅ  Ｄｉｖｉｓｉｏｎ  Ｍｕｌｔｉｐｌｅ  Ａｃｃｅｓｓ  １ｘ）とデータ通信用のＥＶ−ＤＯ（Ｅｖｏｌｕｔｉｏｎ  Ｄａｔａ  Ｏｎｌｙ（Ｏｐｔｉｍｉｚｅｄ））の２つの無線プロトコルで基地局と無線通信を行う。無線通信装置１１は演算装置１４又は音声装置１６から供給される送信信号を変調してアンテナから基地局に送信し、また、アンテナで受信した受信信号を復調して演算装置１４又は音声装置１６に供給する。
【００１８】
ＵＩＭ装置１２にはＵＩＭカードが装着される。ＵＩＭカードはＩＣカードであり、基地局との間の無線通信で必要となる例えばＣＤＭＡ１ｘプロトコルとＥＶ−ＤＯプロトコルの必要情報であるＵＩＭ情報を管理する。すなわち、ＵＩＭカードには加入者情報や自装置の電話番号、ＳＭＳ（Ｓｈｏｒｔ  Ｍａｓｓａｇｅ  Ｓｅｒｖｉｃｅ）、積算通話料金などの物理的にコピーして使用できる第１ＵＩＭ情報がＣＤＭＡ１ｘとＥＶ−ＤＯそれぞれについて保存されている。また、ＵＩＭカード内の認証演算機能（アプリケーション）で演算するなど、ＵＩＭカードそのものにアクセスすることで、ＣＤＭＡ１ｘとＥＶ−ＤＯそれぞれで使用する第２ＵＩＭ情報が生成される。上記の第１ＵＩＭ情報と第２ＵＩＭ情報をＵＩＭ情報と総称する。
【００１９】
演算装置１４は記憶装置１３に記憶されている各種処理プログラムを実行する。すなわち、装置各部の制御処理、送受信信号の符号化及び復号処理などである。また、演算装置１４は記憶装置１３に送受信データを含む各種情報を保存する。また、記憶装置１３はメインとサブのいずれの移動通信端末装置がＣＤＭＡ１ｘ，ＥＶ−ＤＯの無線プロトコルを使用するかを示すＵＩＭ貸出情報を保存する。
【００２０】
表示装置１５は演算装置１４の制御により、各種文字情報や画像情報などの画面表示を行う。音声装置１６はマイクロホンにて変換されたアナログ音声信号をデジタル化して無線通信装置１１又は演算装置１４に供給し、また、無線通信装置１１又は演算装置１４から供給されるデジタル音声信号をアナログ化してスピーカに発音させる。
【００２１】
入力装置１７は電話番号や文字等の入力を行うテンキー、通話キー、選択キー、決定キー、クリアキー等の各種キーを有しており、入力装置１７の入力は演算装置１４に供給される。
【００２２】
ＢＴ装置１８は、サブの移動通信端末装置３０や他の移動通信端末装置のＢＴ装置との間でブルートゥース（登録商標）等の近距離無線通信によりデータの送受信を行う。赤外線通信装置１９はサブの移動通信端末装置３０や他の携帯電話機の赤外線通信装置との間で赤外線によりデータの送受信を行う。
【００２３】
＜サブの移動通信端末装置の構成＞
図２はサブの移動通信端末装置の一実施形態の構成図を示す。図２において、サブの移動通信端末装置３０は、無線通信装置３１、記憶装置３３、演算装置３４、表示装置３５、音声装置３６、入力装置３７、ＢＴ装置３８、赤外線通信装置３９を有している。これらの無線通信装置３１〜赤外線通信装置３９それぞれはバス４０により相互に接続されている。なお、サブの移動通信端末装置３０はＵＩＭ装置を有していない。
【００２４】
無線通信装置３１は例えば音声通信用のＣＤＭＡ１ｘとデータ通信用のＥＶ−ＤＯの２つの無線プロトコルで基地局と無線通信を行う。無線通信装置３１は演算装置１４又は音声装置１６から供給される送信信号を変調してアンテナから基地局に送信し、また、アンテナで受信した受信信号を復調して演算装置３４又は音声装置３６に供給する。
【００２５】
演算装置３４は記憶装置３３に記憶されている各種処理プログラムを実行する。すなわち、装置各部の制御処理、送受信信号の符号化処理及び復号処理などである。また、演算装置３４は記憶装置３３に送受信データを含む各種情報を保存する。また、記憶装置３３はメインの移動通信端末装置１０から供給される第１ＵＩＭ情報とＵＩＭ貸出情報を保存する。
【００２６】
表示装置３５は演算装置３４の制御により、各種文字情報や画像情報などの画面表示を行う。音声装置３６はマイクロホンにて変換されたアナログ音声信号をデジタル化して無線通信装置３１又は演算装置３４に供給し、また、無線通信装置３１又は演算装置３４から供給されるデジタル音声信号をアナログ化してスピーカに発音させる。
【００２７】
入力装置３７は電話番号や文字等の入力を行うテンキー、通話キー、選択キー、決定キー、クリアキー等の各種キーを有しており、入力装置３７の入力は演算装置３４に供給される。
【００２８】
ＢＴ装置３８は、サブの移動通信端末装置や他の移動通信端末装置のＢＴ装置との間でブルートゥース（登録商標）等の近距離無線通信によりデータの送受信を行う。赤外線通信装置３９はサブの移動通信端末装置や他の携帯電話機の赤外線通信装置との間で赤外線によりデータの送受信を行う。
【００２９】
＜本実施形態の概要＞
本実施形態ではＵＩＭカードをＵＩＭ装置１２に物理的に装着されるメインの移動通信端末装置１０と、ＵＩＭカードを物理的に装着されないサブの移動通信端末装置を用意し、メインの移動通信端末装置のＵＩＭカードのＵＩＭ情報をサブの移動通信端末装置が一時的に利用できるようにすることで、１つのＵＩＭカードで２つの移動通信端末装置１０，３０を使用できるようにする。
【００３０】
メインとサブの移動通信端末装置１０，３０間で、ＢＴ装置１８，３８を用いてＵＩＭカードのＵＩＭ情報を送信する。これにより煩雑なＵＩＭカード入れ替え作業をしなくて済む。なお、ＢＴ装置１８，３８の代りに、例えば赤外線通信装置１９，３９を用いてＵＩＭ情報を送信することも可能である。
【００３１】
ここで、ＵＩＭカードのＵＩＭ情報を部分的にメインとサブの移動通信端末装置１０，３０に振り分ける。これにより１つのＵＩＭカードでメインとサブの移動通信端末装置の無線通信装置１１，３１を同時に利用できる。ＵＩＭカードにＣＤＭＡ１ｘのＵＩＭ情報と、ＥＶ−ＤＯのＵＩＭ情報が保存されている場合には、メインの移動通信端末装置１０のＵＩＭ装置１２に装着されたＵＩＭカードからＣＤＭＡ１ｘのＵＩＭ情報をＢＴ装置１８，３８を用いてサブの移動通信端末装置３０の記憶装置３３にコピーする。これにより、メインの移動通信端末装置１０でＣＤＭＡ１ｘのＵＩＭ情報により無線通信装置１１を用いた無線通信を行い、サブの移動通信端末装置３０でＥＶ−ＤＯのＵＩＭ情報により無線通信装置３１を用いた無線通信を行うことができる。
【００３２】
また、メインの移動通信端末装置１０とサブの移動通信端末装置３０にＵＩＭ情報の割り振りの状態を示すＵＩＭ貸出情報を保存し、メイン、サブの移動通信端末装置１０，３０それぞれに、ＵＩＭ貸出情報に従って無線通信装置１１，３１それぞれをオン／オフさせる機能を持たせている。
【００３３】
＜本実施形態のイメージ図＞
図３にメインの移動通信端末装置１０でＣＤＭＡ１ｘプロトコルの通信（音声）とＥＶ−ＤＯプロトコルの通信（データ）を行い、サブの移動通信端末装置３０に無線機能を持たせない第１状態のイメージ図を示す。通常は、図３に示すように、移動通信端末装置１０の無線通信装置１１はＵＩＭ装置１２に装着されたＵＩＭカードのＣＤＭＡ１ｘのＵＩＭ情報とＥＶ−ＤＯのＵＩＭ情報を用いる。これにより、無線通信装置１１はハッチングの矢印で示すＣＤＭＡ１ｘプロトコルの通信（音声）と、梨地の矢印で示すＥＶ−ＤＯプロトコルの通信（データ）を行う。サブの移動通信端末装置３０はＣＤＭＡ１ｘのＵＩＭ情報とＥＶ−ＤＯのＵＩＭ情報がないので無線通信装置３１は通信を行うことはできない。
【００３４】
図４にメインの移動通信端末装置１０でＣＤＭＡ１ｘプロトコルの通信（音声）を行い、サブの移動通信端末装置３０でＥＶ−ＤＯプロトコルの通信（データ）を行う第２状態のイメージ図を示す。図４に示すように、メインの移動通信端末装置１０のＵＩＭ装置１２に装着されたＵＩＭカードのＥＶ−ＤＯのＵＩＭ情報をＢＴ装置１８，３８によりサブの移動通信端末装置３０に送信し、記憶装置３３に保存する。
【００３５】
メインの移動通信端末装置１０の無線通信装置１１はＵＩＭカードのＣＤＭＡ１ｘのＵＩＭ情報を用いてハッチングの矢印で示すＣＤＭＡ１ｘプロトコルの通信を行うことができる。また、サブの移動通信端末装置３０の無線通信装置３１は記憶装置３３のＥＶ−ＤＯのＵＩＭ情報を用いて梨地の矢印で示すＥＶ−ＤＯプロトコルの通信を行うことができる。
【００３６】
このとき、メインの移動通信端末装置１０では無線通信装置１１のＥＶ−ＤＯプロトコルの通信機能を無効にし、サブの移動通信端末装置３０では無線通信装置３１のＣＤＭＡ１ｘプロトコルの通信機能を無効にさせるよう、記憶装置１３，３３に保存するＵＩＭ貸出情報によって無線通信装置１１，３１それぞれの無線機能をコントロールする。
【００３７】
一方、基地局に接続されたサーバ側ではＣＤＭＡ１ｘ，ＥＶ−ＤＯという２つのシステムから同一のＵＩＭ情報を持つ移動通信端末装置１０，３０のアクセスを許容する管理を行う。この２つの条件を満たすことで、移動通信端末装置１０，３０は同じＵＩＭ情報を用いて、同時にＣＤＭＡ１ｘとＥＶ−ＤＯの２つのシステムにアクセスできる。かつ、移動通信端末装置１０と移動通信端末装置３０がＣＤＭＡ１ｘシステム又はＥＶ−ＤＯシステムのいずれか一方に同時にアクセスすることを防止できる。
【００３８】
本実施形態ではＣＤＭＡ１ｘ，ＥＶ−ＤＯシステムとしたが、サーバ側で２つのシステムから同一のＵＩＭ情報を持つ移動通信端末装置１０，３０のアクセスを許容する管理方法をとるのであれば、どのようなシステムの組み合わせでも良く、どのような管理方法でも良い。
【００３９】
＜起動時のシーケンス＞
図５、図６、図７に移動通信端末装置１０の起動時の制御シーケンスを示す。なお、図中における無線機能１０Ａは演算装置１４で動作するプログラムのタスクが無線通信装置１１を制御する機能、ＵＩＭ機能１０Ｂは演算装置１４で動作するタスクがＵＩＭ装置１２を制御する機能である。記憶機能１０Ｃは演算装置１４で動作するタスクが記憶装置１３を制御する機能、コントロール機能１０Ｄは演算装置１４で動作するタスクがＵＩＭ情報の貸出等を制御する機能である。ＢＴ機能１０Ｅは演算装置１４で動作するタスクがＢＴ装置１８を制御する機能である。
【００４０】
また、無線機能３０Ａは演算装置３４で動作するプログラムのタスクが無線通信装置３１を制御する機能、記憶機能３０Ｃは演算装置３４で動作するタスクが記憶装置３３を制御する機能である。コントロール機能３０Ｄは演算装置３４で動作するタスクがＵＩＭ情報の貸出等を制御する機能、ＢＴ機能３０Ｅは演算装置３４で動作するタスクがＢＴ装置３８を制御する機能である。
【００４１】
図５において、コントロール機能１０Ｄは記憶機能１０Ｃからメインの移動通信端末装置１０のＵＩＭ貸出情報を読み出す。ここでは、メインのＣＤＭＡ１ｘのＵＩＭ貸出情報（１ｘ）は貸出なし（無）であり、ＥＶ−ＤＯのＵＩＭ貸出情報（ＥＶ−ＤＯ）は貸出なし（無）である。
【００４２】
次に、コントロール機能１０ＤはＢＴ機能１０Ｅ，３０Ｅ，コントロール機能３０Ｄを経由してサブの移動通信端末装置３０の記憶機能３０ＣからＵＩＭ貸出情報を読み出す。サブの移動通信端末装置３０のＣＤＭＡ１ｘのＵＩＭ貸出情報（１ｘ）は貸出なし（無）であり、ＥＶ−ＤＯのＵＩＭ貸出情報（ＥＶ−ＤＯ）は貸出なし（無）である。
【００４３】
つまり、メインとサブの移動通信端末装置１０、３０におけるＣＤＭＡ１ｘのＵＩＭ貸出情報とＥＶ−ＤＯのＵＩＭ貸出情報は一致し、コントロール機能１０Ｄはサブの移動通信端末装置３０におけるＵＩＭ情報の使用がないことを認識する。
【００４４】
図６において、コントロール機能１０Ｄは記憶機能１０Ｃからメインの移動通信端末装置１０のＵＩＭ貸出情報を読み出す。ここでは、メインのＣＤＭＡ１ｘのＵＩＭ貸出情報（１ｘ）は貸出なし（無）であり、ＥＶ−ＤＯのＵＩＭ貸出情報（ＥＶ−ＤＯ）は貸出あり（有）である。
【００４５】
次に、コントロール機能１０ＤはＢＴ機能１０Ｅ，３０Ｅ，コントロール機能３０Ｄを経由してサブの移動通信端末装置３０の記憶機能３０ＣからＵＩＭ貸出情報を読み出す。サブのＣＤＭＡ１ｘのＵＩＭ貸出情報（１ｘ）は貸出なし（無）であり、ＥＶ−ＤＯのＵＩＭ貸出情報（ＥＶ−ＤＯ）は貸出あり（有）である。
【００４６】
つまり、メインとサブの移動通信端末装置１０、３０におけるＣＤＭＡ１ｘとＥＶ−ＤＯのＵＩＭ貸出情報は一致し、コントロール機能１０Ｄはサブの移動通信端末装置３０におけるＥＶ−ＤＯのＵＩＭ情報が使用中であることを認識する。
【００４７】
図７において、コントロール機能１０Ｄは記憶機能１０Ｃからメインの移動通信端末装置１０のＵＩＭ貸出情報を読み出す。ここでは、メインのＣＤＭＡ１ｘのＵＩＭ貸出情報（１ｘ）は貸出なし（無）であり、ＥＶ−ＤＯのＵＩＭ貸出情報（ＥＶ−ＤＯ）は貸出なし（無）である。
【００４８】
次に、コントロール機能１０ＤはＢＴ機能１０Ｅ，３０Ｅ，コントロール機能３０Ｄを経由してサブの移動通信端末装置３０の記憶機能３０ＣからＵＩＭ貸出情報を読み出す。サブのＣＤＭＡ１ｘのＵＩＭ貸出情報（１ｘ）は貸出なし（無）であり、ＥＶ−ＤＯのＵＩＭ貸出情報（ＥＶ−ＤＯ）は貸出あり（有）である。
【００４９】
つまり、メインとサブの移動通信端末装置１０、３０におけるＥＶ−ＤＯのＵＩＭ貸出情報は一致せず、コントロール機能１０Ｄはサブの移動通信端末装置３０におけるＥＶ−ＤＯのＵＩＭ情報が使用中であることを認識する。このため、コントロール機能１０Ｄは無線機能１０Ａを停止（ＯＦＦ）させ、また、コントロール機能１０ＤはＢＴ機能１０Ｅ，３０Ｅ，コントロール機能３０Ｄを経由して無線機能３０Ａを停止させる。
【００５０】
図５、図６、図７はメインの移動通信端末装置１０の起動時の制御シーケンスであるが、サブの移動通信端末装置３０の起動時にも、サブの移動通信端末装置３０で同様の制御シーケンスを実行する。
【００５１】
＜ＵＩＭ情報の貸出依頼＞
図８にサブの移動通信端末装置３０からＵＩＭ情報の貸出依頼を行う場合の制御シーケンスを示す。図８において、当初、サブの記憶機能３０ＣにおけるＣＤＭＡ１ｘのＵＩＭ貸出情報（１ｘ）は貸出なし（無）であり、ＥＶ−ＤＯのＵＩＭ貸出情報（ＥＶ−ＤＯ）は貸出なし（無）である。
【００５２】
入力装置３７からの入力などにより、コントロール機能３０Ｄはメインの移動通信端末装置１０に対しＥＶ−ＤＯの無線機能使用要求を出す。このＥＶ−ＤＯの無線機能使用要求はＢＴ機能３０Ｅ，１０Ｅを経由してコントロール機能１０Ｄに到達する。これにより、コントロール機能１０Ｄは無線機能１０ＡのＥＶ−ＤＯ通信の無線機能を停止させる（ステップＳ１１）。無線機能停止の通知を受けて、コントロール機能１０Ｄは、記憶機能１０ＣにおけるメインのＣＤＭＡ１ｘのＵＩＭ貸出情報（１ｘ）は貸出なし（無）、ＥＶ−ＤＯのＵＩＭ貸出情報（ＥＶ−ＤＯ）は貸出あり（有）に書き替える（ステップＳ１２）。
【００５３】
コントロール機能１０ＤはＵＩＭ機能１０ＢからＣＤＭＡ１ｘとＥＶ−ＤＯの第１ＵＩＭ情報を読み出す（ステップＳ１３）。このＣＤＭＡ１ｘとＥＶ−ＤＯの第１ＵＩＭ情報はＢＴ機能１０Ｅ，３０Ｅを経由してコントロール機能３０に供給され、ＣＤＭＡ１ｘとＥＶ−ＤＯの第１ＵＩＭ情報はコントロール機能３０によって記憶機能３０Ｃに保存される（ステップＳ１４）。
【００５４】
コントロール機能３０Ｄは無線機能３０ＡのＥＶ−ＤＯ通信の無線機能を起動する（ステップＳ１５）。また、コントロール機能３０Ｄは、記憶機能３０ＣにおけるメインのＣＤＭＡ１ｘのＵＩＭ貸出情報（１ｘ）は貸出なし（無）、ＥＶ−ＤＯのＵＩＭ貸出情報（ＥＶ−ＤＯ）は貸出あり（有）に書き替える（ステップＳ１６）。
【００５５】
なお、図８ではサブの移動通信端末装置３０からのＵＩＭ貸出について説明したが、メインの移動通信端末装置１０からも同様なシーケンスでＵＩＭ貸出を行うことができる。また、サブの移動通信端末装置３０からＵＩＭ情報の貸出解除要求を行う場合にも図８のＵＩＭ情報の貸出依頼要求時と同様にしてＵＩＭ情報の貸出解除が行われる。
【００５６】
＜ＵＩＭ情報の貸出依頼＞
図９にサブの移動通信端末装置３０からＵＩＭカードを使用する場合の制御シーケンスを示す。図９において、当初、サブの記憶機能３０ＣにおけるＣＤＭＡ１ｘのＵＩＭ貸出情報（１ｘ）は貸出なし（無）であり、ＥＶ−ＤＯのＵＩＭ貸出情報（ＥＶ−ＤＯ）は貸出あり（有）である。
【００５７】
サブの移動通信端末装置３０の無線機能３０ＡがＥＶ−ＤＯのＵＩＭ情報を必要とするとき、無線機能３０Ａはコントロール機能３０ＤにＥＶ−ＤＯの第２ＵＩＭ情報の生成を依頼する（ステップＳ２１）。コントロール機能３０Ｄは、サブ側の記憶機能３０ＣのＵＩＭ貸出情報を確認する。ここでは、ＥＶ−ＤＯのＵＩＭ貸出情報（ＥＶ−ＤＯ）は貸出あり（有）であるので、コントロール機能３０ＤはＢＴ機能３０Ｅ，１０Ｅを経由してコントロール機能１０Ｄにメイン側のＵＩＭ貸出情報の確認を依頼する。
【００５８】
これにより、コントロール機能１０Ｄは記憶機能３０Ｃにメイン側のＵＩＭ貸出情報を確認し（ステップＳ２２）、ＥＶ−ＤＯのＵＩＭ貸出情報（ＥＶ−ＤＯ）は貸出あり（有）であることを確認する。その後、コントロール機能１０ＤはＵＩＭ機能１０ＢにＥＶ−ＤＯの第２ＵＩＭ情報を生成させる（ステップＳ２３）。そして、コントロール機能１０ＤはＵＩＭ機能１０Ｂが生成したＥＶ−ＤＯの第２ＵＩＭ情報をＢＴ機能１０Ｅ，３０Ｅ，コントロール機能３０Ｄを経由して無線機能３０Ａに供給する。
【００５９】
これに対してＵＩＭカードそのものにアクセスする必要がないＥＶ−ＤＯの第１ＵＩＭ情報は、既にサブ側の記憶機能３０Ｃに保存してある。このため、無線機能３０ＡがＥＶ−ＤＯの第１ＵＩＭ情報を読み出しをコントロール機能３０Ｄに依頼すると（ステップＳ２４）、
コントロール機能３０Ｄは記憶機能３０ＣのＵＩＭ貸出情報の確認する。記憶機能３０ＣのＥＶ−ＤＯのＵＩＭ貸出情報（ＥＶ−ＤＯ）は貸出あり（有）であるため、コントロール機能３０Ｄは記憶機能３０ＣからＥＶ−ＤＯの第１ＵＩＭ情報を読み出して無線機能３０Ａに供給する。
【００６０】
これにより、無線機能３０ＡはＥＶ−ＤＯの第１ＵＩＭ情報を使用することができる。このように一部のＵＩＭカード機能（第１ＵＩＭ情報）をサブ側に保存することでメインとサブのＢＴ機能１０Ｅ，３０Ｅ経由のアクセス回数を減らし消費電流を低減することができる。
【００６１】
このとき、メイン側の移動通信端末装置１０ではＣＤＭＡ１ｘの無線機能１０ＡもＵＩＭ機能１０Ｂを使用できるため、単一のＵＩＭカードでメイン側の移動通信端末装置１０でＣＤＭＡ１ｘの無線機能が使用でき、サブ側の移動通信端末装置３０でＥＶ−ＤＯの無線機能が使用できることになる。
【００６２】
図９では第１ＵＩＭ情報と第２ＵＩＭ情報をＵＩＭカードのアプリケーションで計算を行うかどうかで分けて記載した。しかし、第１ＵＩＭ情報であっても、メインとサブの移動通信端末装置１０，３０で動作するアプリケーションでリアルタイムな更新が必要な特定情報がある場合がある。この場合、サブ側の記憶機能３０Ｃに特定情報を保存すると同時に、第２ＵＩＭ情報と同じ手続きでメイン側のＵＩＭ機能１０Ｂの特定情報も更新することで対応できる。このようにＵＩＭ情報の物理的な読み込み方法を使用目的に合わせて設定する必要がある。
【００６３】
ＵＩＭ貸出情報による管理は、１つのＵＩＭカードのＵＩＭ情報（例えばＥＶ−ＤＯのＵＩＭ情報）を２台の移動通信端末装置１０，３０が使用するといったＵＩＭ情報の不整合を起こさないよう排他的に動作させるために必要である。ＵＩＭ貸出情報が壊れるという問題が起こった場合に備えて、排他動作のリスクを低減するために、メインの移動通信端末装置１０のコントコール機能１０Ｄからサブの移動通信端末装置３０のＵＩＭ貸出情報の監視を定期的に行い、サブの移動通信端末装置３０のＵＩＭ貸出情報がメインの移動通信端末装置１０のＵＩＭ貸出情報と不一致となる異常状態が検知された場合、サブの移動通信端末装置３０からのＵＩＭ情報の使用を停止して、メインの移動通信端末装置１０でのみＵＩＭ情報を使用できるようにコントコール機能１０Ｄで制御しても良い。
【００６４】
また、この排他動作のリスクを低減するために、コントコール機能１０ＤでＵＩＭ貸出情報に貸出期間を付加して管理すると共にサブの移動通信端末装置３０に通知することも可能である。なお、貸出期間とはサブの移動通信端末装置３０におけるＵＩＭ情報の使用期限である。サブの移動通信端末装置３０では貸出期間で指定した時間がくると、コントコール機能３０Ｄで自動的にＵＩＭ貸出情報を「貸出あり」から「貸出なし」に変更する。これと共に、貸出期間で指定した時間がくると、メインの移動通信端末装置１０ではコントコール機能３０Ｄで自動的にＵＩＭ貸出情報を「貸出あり」から「貸出なし」に設定する。この場合、メインとサブの移動通信端末装置１０，３０間で通信を行わなくてもＵＩＭ貸出情報が表す状態を元に戻せるメリットも発生する。なお、貸出期間は入力装置１７等のユーザインタフェースで２時間とか１日とか指定できるようにしても良い。
【００６５】
本実施形態ではメインとサブの移動通信端末装置１０，３０間の通信をＢＴ機能１０Ｅ，３０Ｅで行っているが、直接固有のコネクタ等を用いた有線で接続しても良いし、他のワイヤレスＬＡＮ等の無線で接続しても良い。また、ＵＩＭ情報を伝送する信号には暗号化の追加処理を行っても良い。
【００６６】
本実施形態によれば、大画面でアプリケーションの多いスマートフォンと、電話として使い易いフィーチャーフォンという２台の移動通信端末装置を１つのＵＩＭカードで必要に応じて使用できるようになる。また、２台の移動通信端末装置それぞれで音声通信とデータ通信を同時に実施することが可能になり、ユーザの利便性を高めることができる。
【００６７】
上記実施形態では、移動通信端末装置固有の製造番号は、メインの移動通信端末装置１０とサブの移動通信端末装置３０を合わせて１台と考え、製造番号は同一とする。なお、製造番号を同一にしない場合は、同じ電話番号で異なる製造番号の移動通信端末装置がアクセスすることになるため、このようなアクセスを許可するよう通信事業者と整合をとっておく必要がある。
【００６８】
メインの移動通信端末装置１０は主として世界基準をターゲットとした仕様で作成し、サブの移動通信端末装置３０は特定の通信事業者に特化した機能を持たせても良い。この場合、メインの移動通信端末装置１０はほぼ同一の仕様で作成できるので開発コストを圧縮できるというメリットがある。また、異なる複数のモデルのフィーチャーフォンを持つユーザに対して、１台のスマートフォンを同時利用可能とすることも考えられる。
【００６９】
なお、ＵＩＭ情報の移動通信端末装置１０，３０への振り分けは無線機能に限らず、ＵＩＭ情報を必要とするデジタルテレビジョン（ワンセグ）等の他の機能に適用しても良い。
【００７０】
メインとサブの移動通信端末装置１０，３０では、移動通信端末装置内に限られた情報については２つの移動通信端末装置内１０，３０に限り移動できるようにしても良い。前述のメインとサブの移動通信端末装置１０，３０で製造番号が同一でない場合には、メインとサブの移動通信端末装置１０，３０の機能を２つの装置で同時にフルに使用する必要が発生した場合は、後から別なＵＩＭカードをサブの移動通信端末装置３０に追加し、通常の２つの移動通信端末装置のように独立に使用できるようにしてもよい。この場合、メインとサブの移動通信端末装置１０，３０を物理的に固定でき有線で接続できるようにし、上記接続の際に自動的にサブの移動通信端末装置３０のＵＩＭ機能を終了するように連動させても良い。
（付記１）
第１のプロトコルを使用して第１の基地局と或いは第２のプロトコルを使用して第２の基地局と無線通信をそれぞれ行う第１通信部と、前記第１のプロトコル或いは第２のプロトコルを使用して無線通信を行うために用いられる情報を管理する情報管理部と、他の移動通信端末装置との間で前記第２のプロトコルを使用して無線通信を行うために用いられる情報を送信する第２通信部を有する第１の移動通信端末装置と、
第３通信部と、前記第１の移動通信端末装置との間で前記第２のプロトコルを使用して無線通信を行うために用いられる情報を受信する第４通信部と、前記第４通信部で受信した情報を記憶する情報記憶部を有する第２の移動通信端末装置と、を備え、
前記第１の移動通信端末装置の第１通信部で前記情報管理部の情報を用い前記第１のプロトコルを使用して前記第１の基地局との間で無線通信を行い、
前記第２の移動通信端末装置の第３通信部で前記情報記憶部の情報を用い前記第２のプロトコルを使用して前記第２の基地局との間で無線通信を行う
ことを特徴とする通信システム。
（付記２）
付記１記載の通信システムにおいて、
前記第１の移動通信端末装置は、前記第１通信部と前記第３通信部それぞれで使用するプロトコルの使用状態を保存する第１状態保存部を有し、
前記第２の移動通信端末装置は、前記第１通信部と前記第３通信部それぞれで使用するプロトコルの使用状態を保存する第２状態保存部を有し、
前記第１又は第２の移動通信端末装置は、前記第１状態保存部に保存された使用状態と前記第２状態保存部に保存された使用状態とが異なる場合に前記第１通信部と前記第３通信部を停止させる制御部を有する
ことを特徴とする通信システム。
（付記３）
付記２記載の通信システムにおいて、
前記第１又は第２のプロトコルを使用して無線通信を行うために用いられる情報は、前記情報管理部に保存された第１情報と、前記情報管理部で生成される第２情報を含み、
前記情報記憶部に記憶する前記情報は前記第１情報である
ことを特徴とする通信システム。
（付記４）
付記３記載の通信システムにおいて、
前記第２通信部は、前記第２の移動通信端末装置の前記第４通信部から送信された前記第２情報の要求を前記第２通信部で受信して前記情報管理部に供給し、
前記情報管理部は、前記第２情報の要求に応じた前記第２情報を生成して前記第２通信部から前記第４通信部に送信する
ことを特徴とする通信システム。
（付記５）
付記２乃至４のいずれか１項記載の通信システムにおいて、
前記第１状態保存部及び前記第２状態保存部に保存する前記第３通信部で使用するプロトコルの使用状態に使用期限を設け、
前記制御部は、前記使用期限が過ぎると、前記第１状態保存部及び前記第２状態保存部に保存する前記第３通信部で使用するプロトコルの使用状態を使用なしに変更する
ことを特徴とする通信システム。
（付記６）
第１のプロトコルを使用して第１の基地局と或いは第２のプロトコルを使用して第２の基地局と無線通信をそれぞれ行う第１通信部と、前記第１のプロトコル或いは第２のプロトコルを使用して無線通信を行うために用いられる情報を管理する情報管理部と、他の移動通信端末装置との間で前記第２のプロトコルを使用して無線通信を行うために用いられる情報を送信する第２通信部を有する第１の移動通信端末装置と、
第３通信部と、前記第１の移動通信端末装置との間で前記第２のプロトコルを使用して無線通信を行うために用いられる情報を受信する第４通信部と、前記第４通信部で受信した情報を記憶する情報記憶部を有する第２の移動通信端末装置と、を備える通信システムの前記第１の移動通信端末装置であって、
前記第１通信部は、前記情報管理部の情報を用い前記第１のプロトコルを使用して前記第１の基地局との間で無線通信を行い、
前記第２通信部は、前記情報管理部の情報を前記第４通信部に送信する
ことを特徴とする第１の移動通信端末装置。
（付記７）
付記６記載の第１の移動通信端末装置において、
前記第１通信部と前記第３通信部それぞれで使用するプロトコルの使用状態を保存する第１状態保存部と、
前記第１状態保存部に保存された使用状態と、前記第２の移動通信端末装置の第２状態保存部に保存された前記第１通信部と前記第３通信部それぞれで使用するプロトコルの使用状態とが異なる場合に前記第１通信部と前記第３通信部を停止させる第１制御部を
有することを特徴とする第１の移動通信端末装置。
（付記８）
付記７記載の第１の移動通信端末装置において、
前記第２通信部は、前記第２の移動通信端末装置の前記第４通信部から送信された前記第２情報の要求を前記第２通信部で受信して前記情報管理部に供給し、
前記情報管理部は、前記第２情報の要求に応じた前記第２情報を生成して前記第２通信部から前記第４通信部に送信する
ことを特徴とする第１の移動通信端末装置。
（付記９）
付記７又は８記載の第１の移動通信端末装置において、
前記第１状態保存部に保存する前記第３通信部で使用するプロトコルの使用状態に使用期限を設け、
前記第１制御部は、前記使用期限が過ぎると、前記第１状態保存部に保存する前記第３通信部で使用するプロトコルの使用状態を使用なしに変更する
ことを特徴とする第１の移動通信端末装置。
（付記１０）
第１のプロトコルを使用して第１の基地局と或いは第２のプロトコルを使用して第２の基地局と無線通信をそれぞれ行う第１通信部と、前記第１のプロトコル或いは第２のプロトコルを使用して無線通信を行うために用いられる情報を管理する情報管理部と、他の移動通信端末装置との間で前記第２のプロトコルを使用して無線通信を行うために用いられる情報を送信する第２通信部を有する第１の移動通信端末装置と、
第３通信部と、前記第１の移動通信端末装置との間で前記第２のプロトコルを使用して無線通信を行うために用いられる情報を受信する第４通信部と、前記第４通信部で受信した情報を記憶する情報記憶部を有する第２の移動通信端末装置と、を備える通信システムの前記第２の移動通信端末装置であって、
前記第２通信部から送信され前記第４通信部で受信した前記情報管理部の情報を記憶する情報記憶部を有し、
前記第３通信部は、前記情報記憶部の情報を用い前記第２のプロトコルを使用して前記第２の基地局との間で無線通信を行う
ことを特徴とする第２の移動通信端末装置。
（付記１１）
付記１０記載の第２の移動通信端末装置において、
前記第１通信部と前記第３通信部それぞれで使用するプロトコルの使用状態を保存する第２状態保存部と、
前記第２状態保存部に保存された使用状態と、前記第１の移動通信端末装置の第１状態保存部に保存された前記第１通信部と前記第３通信部それぞれで使用するプロトコルの使用状態とが異なる場合に前記第１通信部と前記第３通信部を停止させる第２制御部を
有することを特徴とする第２の移動通信端末装置。
（付記１２）
付記１１記載の第２の移動通信端末装置において、
前記第１又は第２のプロトコルを使用して無線通信を行うために用いられる情報は、前記情報管理部に保存された第１情報と、前記情報管理部で生成される第２情報を含み、
前記情報記憶部は、前記第１情報を記憶する
ことを特徴とする第２の移動通信端末装置。
（付記１３）
付記１１又は１２記載の第２の移動通信端末装置において、
前記第２状態保存部に保存する前記第３通信部で使用するプロトコルの使用状態に使用期限を設け、
前記第２制御部は、前記使用期限が過ぎると、前記第２状態保存部に保存する前記第３通信部で使用するプロトコルの使用状態を使用なしに変更する
ことを特徴とする第２の移動通信端末装置。
【符号の説明】
【００７１】
１０  メインの移動通信端末装置
１０Ａ，３０Ａ  無線機能
１０Ｂ  ＵＩＭ機能
１０Ｃ，３０Ｃ  記憶機能
１０Ｄ，３０Ｄ  コントロール機能
１０Ｅ，３０Ｅ  ＢＴ機能
１１，３１  無線通信装置
１２  ＵＩＭ装置
１３，３３  記憶装置
１４，３４  演算装置
１５，３５  表示装置
１６，３６  音声装置
１７，３７  入力装置
１８，３８  ＢＴ装置
１９，３９  赤外線通信装置
３０  サブの移動通信端末装置
【図１】
2013042430.tif 000003
【図２】
2013042430.tif 000004
【図３】
2013042430.tif 000005
【図４】
2013042430.tif 000006
【図５】
2013042430.tif 000007
【図６】
2013042430.tif 000008
【図７】
2013042430.tif 000009
【図８】
2013042430.tif 000010
【図９】
2013042430.tif 000011